(57)【要約】【課題】摘葉作業を効率的かつ安全に行える植物の摘葉カッターを提供する。【解決手段】摘葉カッター１は、前後方向へ真っ直ぐに延びる握部２と、この握部２の前端に連続して一側方へ概略Ｃ字状に湾曲し他側方へ開放するように延出する刃支持部３と、この刃支持部３の基端部３ａと先端部３ｂとの間に渡され両端部において当該基端部３ａと先端部３ｂに固定される薄板状のカッター刃４と、握部２の前端から刃支持部３の開放側へ真っ直ぐに延出し刃支持部３の先端との間に葉柄導入空間５を形成する保護突片６とを具備し、保護突片６は、握部２の先端から所定の抵抗をもって出没操作可能に当該握部２に保持される。【選択図】図１
2019083763.tif 000002
【特許請求の範囲】
【請求項１】
前後方向へ真っ直ぐに延びる握部と、この握部の前端に連続して一側方へ概略Ｃ字状に湾曲し他側方へ開放するように延出する刃支持部と、この刃支持部の３と先端部との間に渡され両端部において当該基端部と先端部に固定される薄板状のカッター刃と、前記握部の前端から前記刃支持部の開放側へ真っ直ぐに延出し前記刃支持部の先端との間に葉柄導入空間を形成する保護突片とを具備し、
前記保護突片は、前記握部の先端から所定の抵抗をもって出没操作可能に当該握部に保持されることを特徴とする植物の摘葉カッター。
【請求項２】
前記握部は、前後方向に延びて前端に開放する内側空間と、当該内側空間に連なる前後方向のスリットと、前記内側空間の内側壁に沿って前後方向に延びるように係止される板ばねとを具備し、
前記保護突片は、前記握部の内側空間内に前後方向に移動自在に収容されると共に、前記スリットを通じて前記握部の外側へ突出する操作部と、前記板ばねに対面し前後方向に所定間隔で並ぶ複数の凹部を有する係合側面とを具備し、
前記板ばねは、前後方向に所定間隔で並び前記保護突片の係合側面側へ突出する複数の凸部を具備し、
前記板ばねの凸部が前記保護突片の凹部に係合することで前記保護突片のロックを行う一方、前記操作部に前後方向の操作力を付与したときに、前記凸部が前記凹部間に位置して前記係合側面との間で上昇変位することで前記ロックが解除されることを特徴とする請求項１に記載の植物の摘葉カッター。
【請求項３】
前記カッター刃は、両端部に係止部を具備し、
前記刃支持部は、前記カッター刃の一方の係止部に嵌合するように先端部の一側面から突出する固定係止ピンと、前記カッター刃の他方の係止部に嵌合するように基端部の一側面から突出する可動係止ピンと、当該可動係止ピンを前記固定係止ピンとの距離を変更可能に支持する牽引ボルトと、当該牽引ボルトを前記固定係止ピンに向かって進退自在に保持するボルト保持部とを具備し、
前記ボルト保持部は、前記刃支持部の基端部において前記固定係止ピンに向かって前後方向に直線状に貫通するガイド孔と、このガイド孔の前端側に直線状に連続し前記基端部の一側面側に開放するガイドスリットとを具備し、
前記牽引ボルトは、前記ガイド孔を軸周り回転不能かつ軸線方向進退自在に貫通し、後方へ突出した基端側に調整ナットが螺合するねじ部を有すると共に、先端側の一側面が前記ガイドスリットから露出するように設けられ、
前記可動係止ピンは、前記牽引ボルトの側面から前記ガイドスリットを通して前記刃支持部の一側面側へ突出するように設けられ、
前記牽引ボルトのねじ部に螺合される調整ナットの締め込みにより、前記固定係止ピンと前記可動係止ピンに支持された前記カッター刃に所定の張力を付与することを請求項１又は２に記載の植物の摘葉カッター。
【発明の詳細な説明】
【技術分野】
【０００１】
トマトなどの植物の栽培過程においては、採光性、通風性の改善のほか、病気の予防や養分の消耗防止のために、不要の葉を切除する作業が行われる。本発明は、このような不要の葉の切除作業に用いられるカッターに関する。
【背景技術】
【０００２】
従来、トマト等の植物の摘葉に用いられるカッターとして、Bladsnijmes社製のMETALLO K-8065等のカッター（非特許文献１）が知られている。
このカッターは、真っ直ぐに延びる握部と、この握部の先端に連続して側方へ概略Ｃ字状に湾曲して延出する刃支持部と、この刃支持部の基端部と先端部との間に渡され両端部において刃支持部の基端部と先端部にねじ止めされる薄板状のカッター刃と、握部の先端から、刃支持部の開放側へ真っ直ぐに延出し、刃支持部の先端との間に葉柄導入空間を形成する保護突片とを具備する。
このカッターの使用時には、握部を握って、切除しようとする葉の基端部を葉柄導入空間内へ導き、握部を振るように操作することにより、カッター刃で葉柄を切断する。この切断操作の際に、切除する葉に隣接して多くの他の葉や枝が茂っていても、保護突片がそれらに当接することで、カッター刃が当たることを防ぎ、損傷を防止する。また、保護突片は、カッター刃が外側へむき出しにならないように開放部を狭めて使用上の安全を図る機能を有する。
【先行技術文献】
【非特許文献】
【０００３】
【非特許文献１】all2gardenのインターネットウェブサイト平成２９年１１月１日検索（URL：https://www.all2garden.be/desinfectie-en-bladsnijmes）
【発明の概要】
【発明が解決しようとする課題】
【０００４】
上記従来のカッターは、保護突片が、握部の先端から常時突出しているため、使用の状況によっては保護突片が作業の効率を低下させる原因となる場合がある。葉柄の切断面の細胞が潰れると、灰色カビの等の病原菌類の侵入を招くため、カッター刃として、カミソリの替え刃ような、できるだけ刃厚の薄い鋭利なものが求められるが、刃厚が薄いと切断時に撓みを生じ、作業の妨げとなる。上記従来のカッターにおいては、カッター刃の両端がねじ止めされているだけであるから、カッター刃の撓みを防止しにくいという問題点もある。
したがって、本発明は、必要に応じて保護突片が自在に出入りし、摘葉作業を効率的に行える植物の摘葉カッターを提供することを第１の課題としている。また本発明は、カッター刃に張力を付与して使用時の撓みを防止することができる植物の摘葉カッターを提供することを第２の課題としている。
【課題を解決するための手段】
【０００５】
以下、添付図面の符号を参照して説明するが、本発明はこれに限定されるものではない。
上記第１の課題を解決するための、本発明の摘葉カッター１は、前後方向へ真っ直ぐに延びる握部２と、この握部２の前端に連続して一側方へ概略Ｃ字状に湾曲し他側方へ開放するように延出する刃支持部３と、この刃支持部３の基端部３ａと先端部３ｂとの間に渡され両端部において当該基端部３ａと先端部３ｂに固定される薄板状のカッター刃４と、握部２の前端から刃支持部３の開放側へ真っ直ぐに延出し刃支持部３の先端との間に葉柄導入空間５を形成する保護突片６とを具備し、保護突片６は、握部２の先端から所定の抵抗をもって出没操作可能に当該握部２に保持される。
上記第２の課題を解決するための、本発明の摘葉カッター１においては、上記カッター刃４が、両端部に係止部４ａを具備する。上記刃支持部３は、カッター刃４の一方の係止部４ａに嵌合するように先端部の一側面から突出する固定係止ピン１０と、カッター刃４の他方の係止部に４ａに嵌合するように基端部３ａの一側面から突出する可動係止ピン１１と、当該可動係止ピン１１を固定係止ピン１０との距離を変更可能に支持する牽引ボルト１２と、当該牽引ボルト１２を固定係止ピン１０に向かって進退自在に保持するボルト保持部１３とを具備する。ボルト保持部１３は、刃支持部３の基端部３ａ側において固定係止ピン１０に向かって前後方向に直線状に貫通するガイド孔１３ａと、このガイド孔１３ａの前端側に直線状に連続し基端部３ａの一側面側に開放するガイドスリット１３ｂとを具備する。牽引ボルト１２は、ガイド孔１３ａを軸周り回転不能かつ軸線方向進退自在に貫通し、後方へ突出した基端側に調整ナット１４が螺合するねじ部１２ａを有すると共に、先端側の一側面１２ｂがガイドスリット１３ｂから露出するように設けられる。可動係止ピ１１ンは、牽引ボルト１２の側面１２ｂからガイドスリット１３ｂを通して刃支持部３の一側面側へ突出するように設けられる。牽引ボルト１２のねじ部１２ａに螺合される調整ナット１４の締め込みにより、固定係止ピン１０と可動係止ピン１１に支持されたカッター刃４に所定の張力を付与する。
【発明の効果】
【０００６】
本発明の摘葉カッター１においては、必要に応じて保護突片６を自在に出入させることができ、摘葉作業の効率化を図ることができる。また本発明の摘葉カッター１においては、カッター刃４に張力を付与して使用時のカッター刃４の撓み、折損を防止することができる。
【図面の簡単な説明】
【０００７】
【図１】本発明に係る摘葉カッターの斜視図である。
【図２】図１の摘葉カッターの正面図である。
【図３】図１の摘葉カッターの平面図である。
【図４】図１の摘葉カッターの断面図図である。
【発明を実施するための形態】
【０００８】
図面を参照して本発明の実施の形態を説明する。
摘葉カッター１は、前後方向へ真っ直ぐに延びる握部２と、この握部２の前端に連続して一側方へ概略Ｃ字状に湾曲し他側方へ開放するように延出する刃支持部３と、この刃支持部３の基端部３ａと先端部３ｂとの間に渡され両端部において当該基端部３ａと先端部３ｂに固定される薄板状のカッター刃４と、握部２の前端から刃支持部３の開放側へ真っ直ぐに延出し刃支持部３の先端との間に葉柄導入空間５を形成する保護突片６とを具備する。
【０００９】
保護突片６は、握部２の先端から所定の抵抗をもって出没操作可能に握部に保持される。
【００１０】
握部は、前後方向に延びて前端に開放する内側空間７と、当該内側空間７に連なる前後方向のスリット８と、内側空間７の内側壁７ａに沿って前後方向に延びるように係止される板ばね９とを具備する。
【００１１】
保護突片６は、握部２の内側空間７内に前後方向に移動自在に収容される。保護突片６は、スリット８を通じて握部２の外側へ突出する操作部６ａと、板ばね９に対面する係合側面６ｂとを有する。係合側面６ｂには、板ばね９に対面して前後方向に所定間隔で並ぶ複数の凹部６ｃを具備する。
【００１２】
板ばね９は、前後方向に所定間隔で並び保護突片６の係合側面６ｂ側へ突出する複数の凸部９ａを具備する。板ばね９の凸部９ａが保護突片６の凹部６ｃに係合することで、保護突片６のロックを行う一方、操作部６ａに前後方向の操作力を付与したときに、凸部９ａが凹部６ｃ間に位置し、係合側面６ｂとの間で弾性的上昇変位することで、ロックが解除される。
【００１３】
カッター刃４は、両端部に係止部４ａを具備する。刃支持部３は、カッター刃４の一方の係止部４ａに嵌合するように先端部３ｂの一側面から突出する固定係止ピン１０と、カッター刃４の他方の係止部４ａに嵌合するように基端部３ａの一側面から突出する可動係止ピン１１と、当該可動係止ピン１１が植え込まれた牽引ボルト１２とを具備する。牽引ボルト１２は、刃支持部３の基端部３ａ側に設けられたボルト保持部１３に保持され、固定係止ピン１０との距離を変更できるように、固定係止ピン１０に向かって進退自在である。
【００１４】
ボルト保持部１３は、刃支持部３の基端部３ａ側において固定係止ピン１０に向かって前後方向に直線状に貫通するガイド孔１３ａと、このガイド孔１３ａの前端側に直線状に連続し基端部３ａの一側面側に開放するガイドスリット１３ｂとを具備する。
【００１５】
牽引ボルト１２は、ガイド孔１３ａを軸周り回転不能かつ軸線方向進退自在に貫通し、後方へ突出する。ガイド孔１３ａを、後方へ突出した牽引ボルト１２の基端側には、調整ナット１４が螺合するねじ部１２ａを有する。牽引ボルト１２の対向両側面は平滑に切削され、一側面１２ｂは、先端側においてガイドスリット１３ｂから露出するように設けられる。
【００１６】
可動係止ピン１１は、牽引ボルト１２の側面１２ｂからガイドスリット１３ｂを通して刃支持部３の一側面側へ突出するように設けられる。
【００１７】
牽引ボルト１２のねじ部１２ａに螺合される調整ナット１４の締め込みにより、固定係止ピン１０と可動係止ピン１１とに支持されたカッター刃４に所定の張力を付与することができる。
【００１８】
摘葉カッター１により切除しようとする葉の周辺が他の葉や茎で混み合っているような場合には、操作部６ａを指で前方へ推し進め、保護突片６を刃支持部３の基端３ａ側から突出させることにより、葉柄導入空間５を狭め、切除操作により誤って周辺の他の葉や茎にカッター刃が当たることがないようにする。周辺の葉や茎に支障がない場合には、保護突片６を後方へ移動させて葉柄導入空間５を広げ、切除作業の効率化を図ることができる。カッター刃４を刃支持部３に装着する際には、固定係止ピン１０と可動係止ピン１１を係止部４ａに嵌合させた後、調整ナット１４を締め込み、カッター刃４に所定の張力を付与して使用時のカッター刃４撓み、折損を防止することができる。
【符号の説明】
【００１９】
１      摘葉カッター
２      握部
３      刃支持部
３ａ    基端部
３ｂ    先端部
４      カッター刃
４ａ    係止部
５      葉柄導入空間
６      保護突片
６ａ    操作部
６ｂ    係合側面
６ｃ    凹部
７      内側空間
７ａ    内側壁
８      スリット
９      板ばね
９ａ    凸部
１０    固定係止ピン
１１    可動係止ピン
１２    牽引ボルト
１２ａ  ねじ部
１２ｂ  側面
１３    ボルト保持部
１３ａ  ガイド孔
１３ｂ  ガイドスリット
１４    調整ナット
【図１】
2019083763.tif 000003
【図２】
2019083763.tif 000004
【図３】
2019083763.tif 000005
【図４】
2019083763.tif 000006